(57)【要約】【課題】ナースコール用幹線コネクタを個別廊下灯等のコネクタに接続する際、コネクタを構成する複数のコンタクト片の接続順と接続間隔の時間制御を行なって、個別廊下灯の誤動作や破損を防止する【解決手段】コネクタを構成する複数のコンタクト片の中の２片1組で構成される電源コンタクト片に印加される電圧で駆動される切替制御回路を設け、切替制御回路の動作開始信号の出力で信号開閉回路を閉成するとともに、切替制御回路に電源が未印加で動作開始信号が未出力のときは、信号開閉回路を開放状態に維持する【選択図】図３
2006034895.tif 000002
【特許請求の範囲】
【請求項１】
ナースコール用幹線ケーブルの一端に接続されるナースコール親機と、前記ナースコール用幹線ケーブルの他端にコネクタを介して着脱自在に接続される電子制御基板ユニットを有する個人別廊下灯等と、を有するナースコール装置において、前記コネクタは、ナースコールの制御信号や音声信号を伝達する信号端子のほかに一対の電源端子を備え、前記個人別廊下灯等の前記電子制御基板ユニットには、前記コネクタの中の一対の電源端子から電源の供給を受けて切替信号を出力する切替制御回路と、前記切替制御回路の出力に連動して、前記信号端子の信号ラインを開閉する信号開閉回路とを設けたことを特徴とするナースコール装置。
【請求項２】
前記切替制御回路は、前記電源端子から供給される電源で作動する電圧判定切替出力回路と、前記電圧判定切替出力の出力信号を一定時間遅延させる出力遅延タイマ２２と、で構成し、前記出力遅延タイマの出力で前記信号開閉回路を制御できるようにしたことを特徴とする請求項１記載のナースコール装置
【発明の詳細な説明】
【技術分野】
【０００１】
本発明は、各病室の出入口近傍に設置される個人別廊下灯またはトイレなどの共用部に設置されるＩ／Ｏ制御部を、ナースコール用幹線ケーブルに着脱自在なコネクタで接続できるナースコール装置に関する。
【背景技術】
【０００２】
従来のナースコールインターホン装置では、ナースコール親機から１本以上の幹線ケーブルを各病室経由で最遠端の病室まで延長し、各病室の出入口において、着脱自在なコネクタにより、それぞれ個人別廊下灯に接続することにより、システム全体が動作するようになっている。このような接続方式は一般にバス型接続と称される。
【０００３】
バス型接続のナースコールシステムにおいては、一般に、１台の個人別廊下灯等（Ｉ／Ｏ制御部を含む、以下同じ）でトラブルが発生すると、ナースコール用幹線ケーブルの伝送ラインに直接影響する結果、当該幹線ケーブルに接続された他の正常な個人別廊下灯も動作しなくなることが多い。
【０００４】
このような状態で、異常動作の原因を追究するときは、まず、不良の個人別廊下灯等を特定する必要がある。そこで、通常は、ナースコール幹線用ケーブルから、コネクタを介して個人別廊下灯等を１台ずつ順次外しながら、ナースコール動作を確認し、異常動作が止まれば、今取り外した個人別廊下灯等が異常と判断し、交換などの処置をする。
このようにして、不良の個人別廊下灯等を探し当てるまでには、複数の個人別廊下灯等のコネクタを幹線コネクタに、着脱することが必要になる。
【０００５】
問題は、個人別廊下灯等のコネクタを幹線コネクタから外したり、反対に装着する際に発生する。この着脱作業中において、ナースコール親機の電源をオフにできれば、少なくとも、電子回路部品の破損の問題は発生しない。
【０００６】
ところが、ナースコール親機と個人別廊下灯等とは、ナースセンターと病室というように離れた場所に設置されているため、コネクタを着脱するたびにナースコール親機の電源を入れ切りするのは困難である。
【０００７】
無理に実施するとすれば、２人の作業員を用意し、互いに無線連絡しながら、タイミングをはかってナースコール親機の電源を入れ切りするとともに、コネクタの着脱作業とナースコールの動作テスト作業をやるか、やむをえず１人の作業員しか確保できない場合には、当該作業員は、ナースセンターと病室とを行き来しながら、ナースコール親機の電源の入れ切り作業と、個人別廊下灯等のコネクタの着脱点検作業とを行なわざるを得ない。
このように、コネクタを着脱するたびにナースコール親機の電源を入れ切りするのは困難であるため、通電状態でコネクタの着脱作業が実施されることが多い。
【０００８】
次に、個人別廊下灯等のコネクタに幹線コネクタを装着する際の嵌合状況を説明する。一般には、幹線コネクタの端面を、個人別廊下灯等のコネクタの端面に、両方の複数のコンタクト片が相互に嵌め合わさるように、突合せたあと、幹線コネクタを、相手側コネクタのコンタクト片の長手方向に沿ってスライドさせて装着する。このスライド時、スライド方向を正確に保持することは困難で、手元が少しでもくるうと左右方向あるいは斜め方向に傾いた状態で装着される。
【０００９】
斜め方向に傾いた状態で装着されると、コネクタを構成する複数のコンタクト片の間隔が狭いこともあって、電源ラインとなるコンタクト片と信号ラインとなるコンタクト片が相互に接触したりする恐れがある。また、複数のコンタクトの接触開始時間に差を生じ、電源用コンタクトが接続される前に信号ライン用コンタクトが接続される状態も発生する。いずれにしても、不安定な接続状態が発生する。
【００１０】
この不安定な接続状態は、過度的なもので、幹線コネクタを個人別廊下灯等のコネクタの最終装着位置まで正確に装着すれば解消される。
【００１１】
ただし、過度的とはいっても不安定もしくは不正常な接続状態がいったん発生すると、複数のコンタクト片の接触順位やタイミングで状況は異なるとしても、ＣＰＵが誤作動したりする。また、信号用コンタクトから内部ＩＣの電源端子方向に逆電流が流れて半導体素子等が破損することもある。
【００１２】
特許文献１には、コネクタのピン端子の接続順の問題を解決するために、コネクタの複数のピン端子の長さを長短に形成し、ピン端子の接続順を規制できるようにしたものが記載されている。
【特許文献１】・・・・特開２００４−６３２８８号公報
【発明の開示】
【発明が解決しようとする課題】
【００１３】
特許文献１記載の発明によれば、ピン端子の接続順を規制できるようにピン端子の長短を決めて有るので、接続順の不備によるトラブルは発生しにくい。しかし、ピン端子長に長短を付与したものは一般市販品にはなく、特殊設計となるため、採用するには困難な面がある。また、接続順の制御はできても、コンタクト片の接続間隔の時間制御は困難である。
【００１４】
本発明は、前記した公知例の欠点を除去するもので、幹線コネクタを個別廊下灯等のコネクタに接続する際、コネクタの複数のコンタクト片の接続順と接続間隔の時間制御を行なって、個別廊下灯の誤動作や破損を防止することを課題とする。
【課題を解決するための手段】
【００１５】
前記課題を解決するため、コネクタの複数のコンタクト片の中の２片1組で構成される電源コンタクト片に印加される電圧で駆動される切替制御回路をもうけ、切替制御回路の動作開始信号の出力で信号開閉回路を閉成するとともに、切替制御回路に電源が未印加で動作開始信号が未出力のときは、信号開閉回路を開放状態に維持することにより、電源コンタクト片がナースコール幹線の電源ラインに正常に接続されない限り、信号ラインが接続されないようにする。
【００１６】
また、前記切替制御回路は、前記電源コンタクト片に印加される電圧が所定電圧に達したら切替出力を出力する電圧判定切替出力回路と、電圧判定切替出力回路の出力を一定時間遅延させて、信号開閉回路に供給する出力遅延タイマとを有する。
【発明の効果】
【００１７】
本発明によれば、前記のように、コネクタの２本の電源ラインが正しく接続され、適正な電圧が切替制御回路に印加されない限り、切替制御回路から動作開始信号が出力されないので、信号開閉回路は開放状態を維持する。これにより、コネクタの着脱時の過度的接続条件により、内部の半導体回路を破損するようなことはない
また、切替制御回路の出力開始電圧を制御するとともに、切替制御回路の出力信号を一定時間遅延させて信号開閉回路を制御するので、コネクタの着脱時の過度的接続条件を最適の条件に設定でき、個別廊下灯等の不安定動作を解消できる。
【発明を実施するための最良の形態】
【００１８】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００１９】
図１は、本発明の１実施例を示すナースコール装置のシステム構成図である。図１において、１はナースセンターに設置されるナースコール親機、２は３Ｐのナースコール用幹線ケーブル、３は病室の出入口に設置される個人別廊下灯、４は共用トイレなどに設置されるＩ／Ｏ制御部であり、個人別廊下灯３には呼出通話機能を有するベッド子機５が、また、Ｉ／Ｏ制御部４には、呼出ボタン６、代表廊下灯７、復旧ボタン８がそれぞれ接続されている。
【００２０】
ナースコール用幹線ケーブル２と個人別廊下灯３またはＩ／Ｏ制御部４とは、ナースコール幹線用ケーブル２の先端に取り付けられた幹線コネクタ９と、個人別廊下灯３またはＩ／Ｏ制御部４に布設された制御部コネクタ１０を介して接続されている。
【００２１】
なお、図中１１は代表灯、１２は液晶画面、１３は復旧ボタンである。
【００２２】
図２は、本発明の１実施例において、ナースコール用幹線ケーブル２を個人別廊下灯等３、４に接続するときのコネクタ接続図である。ナースコール幹線２の先端に取り付けられた幹線コネクタ９を個人別廊下灯等３、４に内蔵された電子制御基板ユニット１４に設けられた制御部コネクタ１０に対して、若干斜めに挿入中の中間状態が示されている。
【００２３】
両コネクタ９、１０には、複数個（図示の例では、６個）の雌雄のコンタクト片１５A、１５Bが設けられ、そのうち両側の２個のコンタクト片は、後述するように、電源端子として、また、中間の４個のコンタクト片は信号端子として構成されている。
【００２４】
図に示すように、幹線コネクタ９が制御部コネクタ１０に斜め方向に挿入されると、幹線コネクタ９の各コンタクト片１５Ａは制御部コネクタ１０のコンタクト片１５Ｂに順序不同に接触を開始し、幹線コネクタ９の装着最終位置において、両方のコネクタ９、１０を構成する全てのコンタクト片１５Ａ、１５Ｂは相互に接触導通する。
【００２５】
このように、各コンタクト片１５Ａ、１５Ｂの接触、導通の開始時間は、詳細な時間の流れでみれば、不均一であり、接触、導通の順序も、コネクタの挿入方向の差異、各コンタクト片間の寸法差などにより、不同となる。
【００２６】
図３は、本発明の１実施例における個人別廊下灯等３、４における電子制御基板ユニット１４の回路ブロック構成図である。
【００２７】
図において、１６は、ＣＰＵ、記憶装置などを含む制御部であり、ナースコールの呼出、通話動作に関する制御を実行する。制御部１６は、子機入出力部１７を介してベッド子機などを含むナースコール子機に接続され、ナースコール子機から呼出があると、制御部１６の働きで、代表灯１１を点灯させ、液晶画面１２に呼出画面を表示する。
【００２８】
前記制御部コネクタ１０は、ナースコール親機幹線に接続される幹線コネクタ９にコンタクト片１５Ａ、１５Ｂで電気的に接続されている。
図示の例では、両コネクタ９、１０は、対になる６個のコンタクト片１５Ａ、１５Ｂで構成され、その中の両端のコンタクト片は電源端子Ｖｃｃ、ＧＮＤ、中間の４組のコンタクト片は信号端子Ｓ１、Ｓ２、Ｓ３、Ｓ４である。
【００２９】
前記信号端子Ｓ１、Ｓ２、Ｓ３、Ｓ４は、リレー接点もしくは半導体接点で構成される信号開閉回路１８と、信号入出力部１９とを介して制御部１６に接続されている。
【００３０】
前記電源端子Ｖｃｃ、ＧＮＤは、制御部１６に接続するとともに、切替制御回路２０を構成する電圧判定切替出力２１に接続してある。２２は、出力遅延タイマ２２であり、その入力側は電圧判定切替出力２１に、出力側は前記の信号開閉回路１８に接続してある。
【００３１】
次に、幹線コネクタ９を制御部１０に装着する際の過度的な回路動作について説明する。
前述したように、幹線コネクタ９を制御部コネクタ１０に斜め方向に装着した場合、コンタクト片１５Ａ、１５Ｂの中の外側ないし両端のコンタクト片のいずれか一方、すなわち、電源端子Ｖｃｃまたは電源端子ＧＮＤの一方が最初に導通を開始し、次いで、最初に導通した電源端子Ｖｃｃ、ＧＮＤ側の信号端子Ｓ１またはＳ４が導通する。
【００３２】
すなわち、幹線コネクタ９の装着方向の傾きにより、電源端子Ｖｃｃ、信号端子Ｓ１、Ｓ２、Ｓ３、Ｓ４、電源端子ＧＮＤの順で各コンタクト片が接続される場合と、それとは逆順で接続される場合がある。実際には、装着方向以外にも、各コンタクト片の長さが均一でないなど、接続順序を左右する条件が種々存在するため、前述した、特許文献１の発明のように、コンタクト片の長さを意図的に長短異ならせるなどの方法をとらない限り、各コンタクト片の接続順は不同、規制できないと考えられる。
【００３３】
電圧判定切替出力２１は、電源端子Ｖｃｃと電源端子ＧＮＤの両方が同時に幹線コネクタ９側の対応端子に接触導通して始めて動作可能となる。なお、電源端子Ｖｃｃ、ＧＮＤが接続された状態では、中間のコンタクト片１５Ａ、１５Ｂすなわち信号端子Ｓ１、Ｓ２、Ｓ３、Ｓ４は、各コンタクト片の長さが大幅に不均一でない限り、通常は接続が完了している。換言すれば、電圧判定切替出力回路２１に電源が印加されるのは、幹線コネクタ９と制御部コネクタ１０の全てのコンタクト片の接続が完了した時点である。
【００３４】
このように、電圧判定切替出力２１は、コネクタ接続の完了時点で稼動を開始する。次いで、印加電圧が零電位から次第に立ち上がり基準電圧に達すると、切替信号を出力する。なお、前記基準電圧は、回路条件に対応できるよう、半固定抵抗などを使って可変可能にすることが望ましい。
【００３５】
次いで、電圧判定切替出力２１の出力で出力遅延タイマ２２が起動する。出力遅延タイマ２２は、予め設定された時間の経過を待って、信号開閉回路１８に切替信号を出力し、信号開閉回路１８をＯＮさせ、信号端子Ｓ１、Ｓ２、Ｓ３、Ｓ４の信号ラインを信号入出力部１９に接続する。なお、出力遅延タイマ２２の遅延時間は、回路条件に対応できるように、可変仕様にすることができる。
【００３６】
なお、信号端子Ｓ１、Ｓ２、Ｓ３、Ｓ４の導通が一対の電源端子Ｖｃｃ、ＧＮＤが導通する以前であった場合にどうなるかについて説明すると、この場合は、電源端子Ｖｃｃ、ＧＮＤから電源が供給されないので、電圧判定切替出力２１、出力遅延タイマ２２は動作せず、信号開閉回路１８は遮断状態を維持するため、信号端子Ｓ１、Ｓ２、Ｓ３、Ｓ４を通じて電圧が印加されても、電子制御基板ユニット１４の内部回路には影響を与えない。すなわち、逆電流等による電子部品の破損は発生しない。
【００３７】
なお、実施例では、電源端子Ｖｃｃ、ＧＮＤは、コネクタの両端のコンタクト片を使用しているが、本発明によれば、切替制御回路２０が時間遅延機能を備えているため、中間のコンタクト片を電源端子として使用することも可能である。
【００３８】
また、実施例では、電圧判定切替出力２１および出力遅延タイマ２２で切替制御回路２０を構成し、これを信号開閉回路１８と組み合わせてあるが、電圧判定切替出力２１、出力遅延タイマ２２を継電器本体、信号開閉回路１８を継電器接点として、シンプルな継電器だけの単体回路で構成することができる。
【図面の簡単な説明】
【００３９】
【図１】本発明の１実施例を示すシステム構成図。
【図２】本発明の１実施例における、個人別廊下灯等のコネクタ接続図。
【図３】本発明の１実施例における個人別廊下灯等の回路ブロック構成図。
【符号の説明】
【００４０】
１    ナースコール親機
２    ナースコール用幹線ケーブル
３    個人別廊下灯
４    Ｉ／Ｏ制御部
９    幹線コネクタ
１０    制御部コネクタ
１４    電子制御基板ユニット
１５Ａ  コンタクト片
１５Ｂ  コンタクト片
１６    制御部
１８    信号開閉回路
１９    信号入出力部
２０    切替制御回路
２１    電圧判定切替出力
２２    出力遅延タイマ
Ｖｃｃ  電源端子
ＧＮＤ  ＧＮＤ端子
Ｓ１    信号端子
Ｓ２    信号端子
Ｓ３    信号端子
Ｓ４    信号端子
【図２】
2006034895.tif 000003
【図１】
2006034895.tif 000004
【図３】
2006034895.tif 000005